(57)【特許請求の範囲】
【請求項１】
内部空洞の箱形形状をなして、上部に上部開口部を有し、下部に下部開口部を有する筐体と、
前記筐体の前記上部開口部を閉鎖する天板と、
前記筐体の前記下部開口部を閉鎖する底板と、を備え、
前記筐体は、一枚の長方形板状部材の平行する一方の辺と他方の辺とを付き合わせて固定し、隣接する面のなす角が略直角の四角柱筒型であり、
前記筐体は、
前記筐体を構成する四面の上部端部のそれぞれを、前記上部開口部の内側に折曲げて、それぞれが前記筐体を構成する四面に対して直角をなすように設けられた上部平面部と、
前記筐体を構成する四面の下部端部のそれぞれを、前記下部開口部の内側に折曲げて、それぞれが前記筐体を構成する四面に対して直角をなすように設けられた底部平面部と、を備えるバッテリケース。
【請求項２】
前記天板は有蓋無底の矩形箱形状を有し、
前記筐体と前記天板は、前記上部平面部にパッキン、又は接着テープを介して当接し、第１の接続手段により固定されており、
前記筐体と前記底板は、前記底部平面部にパッキン、又は接着テープを介して当接し、第２の接続手段により固定されており、
前記天板の側面部は、前記筐体の側面部の一部がオーバーラップするように配置されている請求項１に記載のバッテリケース。
【請求項３】
前記筐体は、金属板により構成されている請求項１又は２に記載のバッテリケース。
【請求項４】
前記筐体の内部に格納されるバッテリモジュールは、Ｌ字形状に折り曲げられた固定具と、前記筐体内面に永久接着テープにより固定された筐体側取付具とを固定させることにより設置される請求項１から３のいずれか一項に記載のバッテリケース。
【請求項５】
前記筐体と前記天板が、前記上部平面部において、前記第１の接続手段により固定され、前記第１の接続手段を固定するための孔部にバーリング加工がなされており、
前記筐体と前記底板が、前記底部平面部において、前記第２の接続手段により固定され、前記第２の接続手段を固定するための孔部にバーリング加工がなされている請求項２に記載のバッテリケース。
【請求項６】
前記筐体と前記天板が、前記上部平面部において、前記第１の接続手段により固定され、
前記筐体と前記底板が、前記底部平面部において、前記第２の接続手段により固定され、
前記第１及び第２の接続手段の少なくともいずれかが導通リベットである請求項２に記載のバッテリケース。
【請求項７】
前記筐体に隣接して電線管等を覆う電線管カバーを配置し、前記天板は前記筐体と前記電線管カバーとを含めてこれらの上部を覆う請求項１から６のいずれか一項に記載のバッテリケース。
【請求項８】
前記筐体の側面に、前記上部開口部及び前記下部開口部とは異なる、バッテリモジュールを挿抜可能な別の開口部が設けられた請求項１から７のいずれか一項に記載のバッテリケース。
【発明の詳細な説明】
【技術分野】
【０００１】
本発明はバッテリケースに関し、防水性に優れ、かつ、より軽量で、製造コストが低減されたバッテリケースに関する。
【背景技術】
【０００２】
バッテリモジュール等を内部に格納するバッテリケースは、１０年以上もの長期間、屋外設置されるため、高性能の防水防塵性、錆等に対する耐久性が必要とされる。また、バッテリモジュールの１個あたりの重さは２０〜３０ｋｇであり、これを複数個収納する場合には、バッテリケース自体も、大型でかつ重量が重いものになってしまう。
【先行技術文献】
【特許文献】
【０００３】
【特許文献１】国際公開ＷＯ２０１８／０７９０１９号公報
【発明の概要】
【発明が解決しようとする課題】
【０００４】
このため、バッテリケースの設置場所への運搬が困難となることから、現地でバッテリモジュールをバッテリケース内に収納する現地施工も要望されている。しかし、現地で施工する場合には、防水保証、組立保証等の確保が困難となる。このため、防水性に優れ、かつ、より軽量で、製造コストが低減されたバッテリケースが必要となっている。
【０００５】
本発明は、上記課題に鑑みてなされたものであり、その目的は、防水性に優れ、かつ、より軽量で、製造コストが低減されたバッテリケースを提供することである。
【課題を解決するための手段】
【０００６】
本発明によるバッテリケースは、内部空洞の箱形形状をなし、上下に開口部を備える筐体と、筐体の上部開口部を閉鎖する天板と、筐体の下部開口部を閉鎖する底板と、を備える。筐体は、一枚の長方形板状部材の平行する一方の辺と他方の辺とを付き合わせて固定したものであり、上下に開口部を有し、隣接する面のなす角が略直角の四角柱筒型である。
【０００７】
この構成によれば、筐体の突き合わせ部以外は面で繋がっているため、防水性は確保されている。従って、突き合わせ部のみに防水構造を設ければ良い。また、筐体を一枚板の金属板を折り曲げて作成することができるため、部品点数を少なくすることができる。更に、矩形筒型の各コーナー部で、直角に折れ曲がった面形状ができるため、薄い材料でも機械的強度を向上させることができ、フレーム等を使わなくても、強度アップが図れる。以上より、防水性及び機械的強度に優れ、軽量で、製造コストが低減されたバッテリケースを提供することができる。
【０００８】
本発明によるバッテリケースは、筐体を構成する四面の上部端部のそれぞれを、上部開口部の内側に折曲げて、それぞれが筐体を構成する四面に対して直角をなすように設けられた上部平面部と、筐体を構成する四面の下部端部のそれぞれを、下部開口部の内側に折曲げてそれぞれが筐体の四角柱筒型を構成する四面に対して直角をなすように設けられた底部平面部を備えるようにした構成を採用できる。更に、上部平面部、及び、底部平面部にパッキン、又は接着テープを設けて、上部平面部及び底部平面部と天板及び底板とを、ねじ、導通リベット等の接続手段で接続固定する構成を採用することができる。また、天板は有蓋無底の矩形箱形状を有し、天板の側面部は、筐体の側面部の一部にオーバーラップするように配置される。
【０００９】
この構成によれば、四角柱筒型の筐体の上下端部に形成した平面部に、パッキン又は接着テープ用いて天板及び底板を固定することにより、容易に防水構造を形成することができる。また、天板部は有蓋矩形枠形状の蓋形状にして筐体の上部を覆うようにして被せることにより防水構造を実現でき、雨水等を防ぐことができる。従って、筐体の側面部に穴などを設ける必要が無く、防水性に優れ、軽量で、製造コストが低減されたバッテリケースを提供することができる。
【００１０】
本発明によるバッテリケースが備える筐体は、先塗装材により構成されている。筐体の内部に格納されバッテリモジュールは、Ｌ字形状に折り曲げられた固定具と、筐体内面に永久接着テープにより固定された筐体側取付具とを固定させることにより固定される構成を採用することができる。また、筐体と天板及び底板が、ねじ、導通リベット等の接続手段により接続固定され、接続手段を固定するための孔部にバーリング加工がなされている構成を採用することができる。
【００１１】
この構成によれば、筐体に先塗装材を使用することで、大幅なコストダウンが図ることができる。また、先塗装材にねじ穴を開けたり、溶接を行ったりすると、その部分で溶接、塗装、防水等が改めて必要になるため大幅コストアップになるが、実施形態では、筐体内面に永久接着テープにより固定された筐体側取付具と、Ｌ字形状に折り曲げられた固定具とが接続されるため、コストアップを回避することが可能となる。また、孔部にバーリング加工を施したため先塗装材であっても電気的接続を可能にすることができる。
【００１２】
本発明によるバッテリケースは、筐体に隣接して電線管等を覆う電線管カバーを配置し、天板は筐体と電線管カバーとを含めてこれらの上部を覆う構成を採用することができる。
この構成によれば、四角柱筒型の側面部に穴を開けてもその上に被せられる電線管カバーにより容易に防水構造を形成すことができることから、防水性に優れ、製造コストが低減されたバッテリケースを提供することが可能となる。
【００１３】
本発明によるバッテリケースは、筐体の側面に、バッテリモジュールを挿抜可能な開口部が設けられた構成を採用することができる。また、筐体は、一枚の長方形板状部材の平行する一方の辺と他方の辺とを付き合わせて左右方向に開口部を有するように固定し、隣接する面のなす角が略直角の横置き四角柱筒型とした筐体であり、開口部は、バッテリモジュールを挿抜可能な開口部である構成を採用することができる、
【００１４】
この構成によれば、後に故障などによりバッテリモジュールを交換する要求が生じた際に、天板などを取り外すことなくバッテリモジュールを容易に挿抜可能となるため、繁雑な作業を回避することができる。
【発明の効果】
【００１５】
このように、本発明によれば、防水性に優れ、かつ、より軽量で、製造コストが低減されたバッテリケースを提供することができる。
【図面の簡単な説明】
【００１６】
【図１】図１は、本発明の一実施形態にかかるバッテリケース１Ａの外観を示す概略斜視図である。
【図１ｂ】図１ｂは、本発明の一実施形態にかかる他のバッテリケース１Ａｂの外観を示す概略斜視図である。
【図２】図２は、天板４を外した状態のバッテリケース１Ａａの異なる角度からの外観を示す概略斜視図である。
【図３】図３は、バッテリケース１Ａａの上部外観を拡大した概略斜視図である、天板４及びパッキン２０を外した状態を示す図である。
【図４】図４は、バッテリケース１Ａの上部外観を拡大した概略斜視図であり、天板４を外した状態を示す図である。
【図５ａ】図５ａは、バッテリモジュール１４の外観を示す概略斜視図である。
【図５ｂ】図５ｂは、他の態様によるバッテリモジュール１４の外観を示す概略斜視図である。
【図６】図６は、本発明の一実施形態にかかるバッテリケース１Ｂの外観を示す概略斜視図である。
【図７】図７は、本発明の一実施形態にかかるバッテリケース１Ｂの異なる角度からの外観を示す概略斜視図である。
【図８】図８は、バッテリケース１Ｂの外観を示す概略斜視図であり、側面パネル３４を外した状態を示す図である。
【図９】図９は、バッテリケース１Ａｂの外観透明斜視図であり、各部の防水構造を示すための図である。
【図１０】図１０は、図９の領域Ｂを拡大して示す概略斜視図であり、天板４の一部の外観を示す図である。
【図１１】図１１は、図９の領域Ｂの構成を拡大して示す概略平面図である。
【図１２】図１２は、図９の領域Ｂの構成を拡大して示す概略平面図である。
【図１２Ａ】図１２Ａは、突起部３０の概略構成を示す平面図である。
【図１２Ｂ】図１２Ｂは、突起部３０の概略構成を示す正面図である。
【図１３Ａ】図１３Ａは、図９の領域Ｃの外観を一部透視して拡大して示す概略斜視図である。
【図１３Ｂ】図１３Ｂは、図９の領域Ｄの外観を一部透視して拡大して示す概略斜視図である。
【図１３Ｃ】図１３Ｃは、図９の領域Ｅの外観を拡大して示す概略斜視図である。
【図１４】図１４は、図９の領域Ｂの他の構成を拡大して示す概略分解斜視図である。
【図１５】図１５は、本発明の一実施形態にかかるバッテリケース１Ｃの外観を示す概略斜視図である。
【図１６】図１６は、側面パネル４４を外した状態のバッテリケース１Ｃの外観を異なる角度から示す概略斜視図である。
【発明を実施するための形態】
【００１７】
以下、添付図面を参照しながら、本発明の好ましい実施形態について詳細に説明する。なお、以下に説明において、Ｚ方向は上下方向と、Ｘ方向は左右方向と、Ｙ方向は前後方向と称する場合がある。また、同一の要素には同一の符号又は名称を付し、重複する説明は省略する。
【００１８】
以下に、バッテリケース１Ａａ，１Ａｂ、１Ｂ、及び、１Ｃに例示される実施形態について説明する。
図１、図２から図５ｂは、一実施形態によるバッテリケース１Ａａの構成を示す図である。図１から図４に示すように、本実施形態によるバッテリケース１Ａａは、筐体２、筐体２に隣接して配置される電線管カバー６、及び、筐体２と電線管カバー６との両方の上方を覆う天板４を備えている。筐体２の下方には、バッテリケース１Ａａを設置するための接続部１０が設けられている。接続部１０のさらに下方には、接地のための簡易土台として用いることができる接地部８が設けられている。筐体２内部には図示しないバッテリモジュールが格納されており、このバッテリモジュールに接続される合成樹脂製可とう電線管７（以下、電線管７という）が接続されている。電線管カバー６は、電線管７を、雨水や粉塵等から保護するために、これを覆っている。
【００１９】
筐体２は、例えば一枚の長方形板状部材の平行する一方の辺と他方の辺とを突き合わせ部２ａにおいて付き合わせて防水固定し、縦方向に折り目２ｃを付与することにより、全体として上下に開口部を有し内部空洞で四面を有した四角柱筒型としたものである。この四角柱筒型形状の筐体２においては、隣接する面のなす角が略直角である。バッテリケース１Ａにおいて、筐体２は先塗装材により構成されている。筐体２は内部空間が上下に開放された開口部を有しており、この開口部を閉鎖するようにして天板４及び底板が設置されている。後述するように、筐体２の開口部は、天板４及び底板による防水構造が設けられており、これにより筐体２の内部に格納されるバッテリモジュール１４を雨水、粉塵等から保護している。なお、底板については後述するように、バッテリケース１Ａｂを例示して説明する。
【００２０】
筐体２を構成する四角柱筒型の上部端部の四面のそれぞれを、上部開口部の内側方向に折曲げて、それぞれが筐体２を構成する四面に対して直角をなすようにした上部平面部２２ａが設けられている。電線管カバー６は上下に開口部を有し内部空洞で四面を有した箱形形状を有している。図３及び図４に示すように、電線管カバー６においても、筐体２と同様に、上端部に平面部２２ｂを備えている。
【００２１】
天板４は有蓋無底の矩形箱形状を有している。図１、図４に示すように、筐体２と天板４は、上部平面部２２ａにパッキン２０を介して当接され、ねじ又は導通リベット等の接続手段により接続固定されている。パッキン２０に代えて、防水機能を備えた接着テープを用いても良い。電線管カバー６は、平面部２２ｂの上部に積載される。電線管カバー６と平面部２２ｂとは、両面防水テープ２４で固定されていても良い。
【００２２】
天板４は、筐体２及び電線管カバー６を含めてこれらの上部を覆うようにして設置される。天板４の設置時には、天板４の側面部４ｂは、筐体２上部及び側面部２ｂ、及び電線管カバー６の上部及び側面部に覆い被さり、これら側面の一部が互いにオーバーラップするように配置されている。
【００２３】
図３から図５に示されるように、筐体２の内部に格納されるバッテリモジュール１４は、上部端にＬ字形状に折り曲げられた固定具１８を備えている。筐体２内面には永久接着テープ等により固定された筐体側取付具１６が設けられている。固定具１８は筐体側取付具１６の上面１６ａと当接可能に構成された平面部１８ａを備えている。固定具１８の平面部１８ａと、筐体側取付具１６の上面１６ａを当接させるようにして固定させることにより、バッテリモジュール１４を筐体２内に固定している。筐体側取付具１６と固定具１８は例えば接着テープにより固定されている。この場合、筐体２の側面などに取り付け用の孔などは設けられていない。
【００２４】
図５ａに示すように、バッテリモジュール１４は例えば上下２段積みに構成されており、上段のバッテリモジュール１４と下段のバッテリモジュール１４は、接続具１９により接続されている。また、図５ｂに示すように、バッテリモジュール１４を、Ｌ字金具１５により筐体２に固定するように構成しても良い。図１ｂ、図９等に示すバッテリケース１Ａｂは、電線管カバー６を備えていない態様について示したものである。他の構成については、上述したバッテリケース１Ａａと同様である。
【００２５】
図６から図１４は、一実施形態によるバッテリケース１Ｂの構成を示す図である。図７は、図６とは異なる角度からの外観を示している。図６から図８に示されるように、バッテリケース１Ｂは筐体２、天板４、電線管７、接地部８、及び接続部１０を備えている。筐体２はバッテリケース１Ａａと同様に、一枚の長方形板状部材の平行する一方の辺と他方の辺とを突き合わせ部２ａにおいて付き合わせて防水固定し、全体として上下に開口部を有し内部空洞で四面を有した四角柱筒型としたものである。バッテリケース１Ｂにおいて、筐体２は、先塗装材により構成されている。バッテリケース１Ｂは、筐体２の側面に側面パネル３４を備えており、側面パネル３４で覆われた筐体２には、バッテリモジュール１４を挿抜可能とする開口部３６が設けられている。側面パネル３４と開口部３６との間には、その縁部に沿ってパッキン２０等による防水構造が設けられている。側面パネル３４と開口部３６は、例えばねじ等により脱着可能に固定されている。側面パネル３４を筐体２から取り外すことにより開口部３６を通じて、筐体２内に対してバッテリモジュール１４を挿抜可能となる。
【００２６】
図９から図１４はバッテリケース１Ａｂにおける防水構造を説明するための図である。図１０から図１２Ｂは、図９の領域Ｂにおける防水構造を示す図である。図９及び図１０に示すように、天板４は天井部４ａ及び天井部４ａに対して直角をなす側面部４ｂを備えており、これにより有蓋無底の矩形箱形状を構成している。天井部４ａの角部には孔部４ｃが設けられている。天井部４ａの突き合わせ部２ａ上部付近には、孔部４ｄが設けられている。図１１に示すように、筐体２の上端部に設けられた複数の上部平面部２２ａは実質的に一つの平面を形成している。筐体２の角部において、隣接する上部平面部２２ａのつなぎ部を覆うようにして両面防水テープ２４が接着配置されている。また、上部平面部２２ａには導通リベット留め用の孔部２２ｄが設けられている。また、上部平面部２２ａ上には、上部平面部２２ａに沿うようにして一続きに連続して配置されるパッキン２０が設けられている。パッキン２０が上部平面部２２ａと天板４との間に挟まれて接着されることにより防水性を発現している。
【００２７】
また、図１２、図１２Ａ及び図１２Ｂに示すように、上部平面部２２ａのつなぎ部に位置して、突起部３０を備えるつなぎ金具２９が設けられている。天板４が筐体２上に配置される際に、突起部３０は天板４の孔部４ｃに挿入されることにより天板４が固定される。つなぎ金具２９は孔部２９ａを備えている。つなぎ金具２９と上部平面部２２ａは導通リベット３１により固定される。つなぎ金具２９の孔部２９ａと上部平面部２２ａの孔部２２ｄはつなぎ金具２９を導通リベット３１により固定する際に導通リベット３１が挿入される孔である。
【００２８】
図１３Ａは、図９の領域Ｃ、すなわち、筐体２の突き合わせ部２ａ上端における防水構造を示す図である。筐体２の突き合わせ部２ａの上端において、突き合わせ部２ａにおける上部平面部２２ａのつなぎ部を跨ぐようにして両面防水テープ２４が接着されて設けられている。両面防水テープ２４の上部、及び筐体２の前面部に当接するようにＬ字形状に形成されたつなぎ金具３８が配置される。つなぎ金具３８は、上部平面部２２ａとの間に両面防水テープ２４を挟んだ状態で、導通リベット３１により固定される。上部平面部２２ａとつなぎ金具３８には、導通リベット３１が挿入される孔部が設けられている。つなぎ金具３８には、突起部３９が設けられている。天板４が筐体２上に配置される際に、突起部３９は天板４の孔部４ｄに挿入されることにより天板４が固定される。なお、防水のための導通リベット３１を打つ際に、導通リベット３１が引っ張られることにより上部平面部２２ａとつなぎ金具３８に設けられた孔部に対して導通リベット３１の径が拡大し、、その拡大した部分が孔部に接触する構造となることにより導通が実現される。このように、導通リベット３１により電気伝導性の付与と部材の固定がなされる。
【００２９】
図１３Ｂは、図９の領域Ｄ、すなわち、筐体２下部における防水構造を示す図である。筐体２を構成する四面の下部端部のそれぞれにも、下部開口部の内側に折曲げてそれぞれが筐体２を構成する四面それぞれに対して直角をなすように底部平面部２２ｃが設けられている。これは、バッテリケース１Ａａで説明した筐体２上部に設けられた上部平面部２２ａと同様である。領域Ｄにおいては、底部平面部２２ｃの下側から底板５が当接している。底部平面部２２ｃと底板５とは、間に両面防水テープ２４を介在させることにより接着固定されている。両面防水テープ２４は切れ目なく連続して底板５の角部形状に沿って配置されている。なお、防水のための導通リベット（図示せず）を打つ際に、導通リベットが引っ張られることにより底部平面部２２ｃと底板５に設けられた孔部に対して導通リベットの径が拡大し、その拡大した部分が孔部（図示せず）に接触する構造となることにより導通が実現される。このように、導通リベットにより電気伝導性の付与と部材の固定がなされる。
【００３０】
図１３Ｃは、図９の領域Ｅ、すなわち筐体２の突き合わせ部２ａ下部における防水構造を示す図である。筐体２の突き合わせ部２ａにおいて、底部平面部２２ｃと底板５とは、間に両面防水テープ２４を介在させて接着固定されている。
【００３１】
図１４は、図９の領域Ｂにおける防水構造の他の例を示す図である。図１４に示すように、上部平面部２２ａのつなぎ部において、隣接する上部平面部２２ａ間に跨がるようにして両面防水テープ２４が貼り付けられる。両面防水テープ２４上に重ねるようにつなぎ金具２８が設けられる。つなぎ金具２８には、両側に隣接する上部平面部２２ａ方向に２つの切欠部２８ａが設けられている。上部平面部２２ａに沿うようにしてパッキン２０が配置される。パッキン２０の端部は、切欠部２８ａに嵌め込まれて固定される。
【００３２】
更につなぎ金具２８上に重ねるようにしてつなぎパッキン２６が配置される。つなぎパッキン２６は、つなぎ金具２８と同様に切欠部２６ａを備えている。パッキン２０が切欠部２８ａ及び切欠部２６ａに嵌め込まれるように配置されることで、防水効果を向上させることができる。つなぎ金具２８は上方向に突出する突起部２８ｂを備えている。つなぎ金具２８上を覆うようにしてつなぎパッキン２６が配置される。つなぎパッキン２６は上方向に突出する突起部２８ｂを備えている。この上から覆い被さるようにして天板４が配置される。この時、突起部２８ｂは天板４に設けられた孔部４ｃに挿入されることで、天板４の位置決めがなされる。
【００３３】
上記のように構成された突き合わせ部２ａ、突き合わせ部２ａ上部及び下部において、別のつなぎ板金を裏側、又は、表面から両面テープで貼り付ける、パッキンで貼り付ける、又は、コーキングで埋める等の加工が必要になる。また、孔部２２ｄ、孔部２９ａにバーリング加工を施す。
【００３４】
次に、図１５及び図１６を参照してバッテリケース１Ｃの構成について説明する。バッテリケース１Ｃは、筐体４２、側面パネル４４、接地部８、及び接続部１０を備えている。筐体４２は、その下部において、一枚の長方形板状部材の平行する一方の辺と他方の辺とを付き合わせ固定して突き合わせ部４２ｂとし、更に突き合わせ部４２ｂに防水加工を施すことにより構成されている。筐体４２には横方向に折り目４２ａが付与され、全体として左右に開口部５０を有し内部空洞で四面を有した横置き四角柱筒型となっている。筐体４２は、先塗装材により構成されている。
【００３５】
筐体４２を構成する四角柱筒型の四面それぞれの左右端部には、筐体４２の端部を開口部５０の内側方向に折曲げて、それぞれが筐体４２を構成する四面に対して直角をなすようにした平面部４８が設けられている。平面部４８には、ここでは図示しない両面防水テープ、パッキン、コーキング等を用いて防水構造が施される。筐体４２は内部空間が左右に開放された開口部５０を有しており、この開口部５０を閉鎖するようにして側面パネル４４が配置されている。側面パネル４４はねじなどの接続手段を用いて脱着可能に筐体４２に固定されている。図８に示すのと同様に、側面パネル４４を筐体４２から取り外すことにより、開口部５０を通じて筐体４２内に対してここでは図示しないバッテリモジュールを挿抜可能となる。
【００３６】
上記に説明したように、実施形態にかかるバッテリケース１Ａａ、１Ａｂ、１Ｂ、及び１Ｃによれば、以下の効果を奏する。
【００３７】
実施形態によるバッテリケース１Ａａ、１Ａｂ、及び１Ｂは、内部空洞の箱形形状をなし、上下に開口部を備える筐体２と、筐体の上部開口部を閉鎖する天板４と、筐体２の下部開口部を閉鎖する底板５と、を備える。筐体は、一枚の長方形板状部材の平行する一方の辺と他方の辺とを突き合わせ部２ａで付き合わせて固定し、全体として上下に開口部を有する四角柱筒型である。
【００３８】
この構成によれば、突き合わせ部２ａのみに防水構造を設ければ良く、筐体を一枚板の金属板を折り曲げて作成することができるため、部品点数を少なくすることができ、軽量なバッテリケース１Ａａ、１Ａｂ、及び、１Ｂを提供できる。更に、矩形筒型の各コーナー部で、直角に折れ曲がった形状である折り目２ｃができるため、薄い材料でも機械的強度を向上させることができる。またバッテリケース１Ｃにおいては、同様にして横方向に折り目４２ａが形成されるため、同様の効果を得る。
【００３９】
実施形態によるバッテリケースは、筐体２を構成する四面の上下部端部のそれぞれを、上部開口部の内側に折曲げてそれぞれが筐体２を構成する四面に対して直角をなすように設けられた平面部２２ａ、２２ｃを備える。平面部２２ａ、２２ｃに、別のつなぎ板金を裏側、又は、表面から両面テープで貼り付ける、パッキンで貼り付ける、又は、コーキングで埋める等の加工が実施される。パッキン２０、又は両面防水テープ２４を設けて、平面部２２ａ、２２ｃと、天板及び底板とは、ねじ、導通リベット等の接続手段で接続固定される。天板４の側面部４ｂは、筐体２の側面部の一部にオーバーラップするように配置される。
【００４０】
この構成によれば、角柱筒型の筐体２の上下端部を内側に折り曲げて実質的に連続した平面部２２ａ、２２ｃを形成できるので、この平面部２２ａ、２２ｃにパッキン２０、又は両面防水テープ２４を設けることができる。従って、容易に防水構造を構成することができる。また、天板４は有蓋無底の矩形箱形状の蓋形状にして筐体の上部に被せることにより防水構造を実現でき、雨水等を防ぐことができる。従って、筐体の側面部に穴などを設ける必要が無く、防水性に優れ、軽量で、製造コストが低減されたバッテリケースを提供することができる。
【００４１】
実施形態によるバッテリケース１Ａａ、１Ａｂ、１Ｂ、及び１Ｃにおいて、筐体２、４２は、先塗装材により構成されている。筐体２の内部に格納されバッテリモジュール１４は、Ｌ字形状に折り曲げられた固定具１８と、永久接着テープにより筐体２内面に固定された筐体側取付具１６とを接続させることにより固定される。筐体２と天板４及び底板５が、固定具１８と筐体側取付具１６により、ねじ、導通リベット等の接続手段により接続固定されている。接続手段を固定するための孔部４ｃ、２２ｄにバーリング加工がなされている。
【００４２】
この構成によれば、先塗装材を使用することで、大幅なコストダウンが図ることができる。また、先塗装材にねじ穴を開けたり、溶接を行ったりすると、その部分で溶接、塗装、防水等が改めて必要になるため大幅コストアップになるが、筐体側取付具１６を永久接着テープにより筐体２内面に固定しているため、これを回避することが可能となる。また、バーリング加工により先塗装材であっても電気的接続を可能にする。
【００４３】
実施形態によるバッテリケース１Ａａは、筐体２に隣接して電線管等を覆う電線管カバー６を配置し、天板４は筐体２と電線管カバー６とを含めてこれらの上部を覆っている。この構成によれば、筒の側面部に穴を開けてもその上にかぶせる電線管カバー６の面で、防水構造を作ることができることから、防水性に優れ、製造コストが低減されたバッテリケースを提供することが可能となる。
【００４４】
実施形態によるバッテリケース１Ｂ、１Ｃは、筐体２、４２の側面に、バッテリモジュール１４を挿入可能な開口部３６、５０が設けられている。この構成によれば、修理などの際にバッテリモジュール１４を交換する場合、天板４等を取り外すことなくバッテリモジュール１４を容易に挿抜可能となるため、繁雑な作業を回避することができる。
【００４５】
このように、本発明によれば、防水性に優れ、かつ、より軽量で、製造コストが低減されたバッテリケースを提供することができる。
【００４６】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００４７】
１Ａａ、１Ａｂ、１Ｂ、１Ｃ    バッテリケース
２、４２    筐体
２ａ、４２ｂ    突き合わせ部
２ｂ、４ｂ    側面部
２ｃ、４２ａ    折り目
４    天板
４ａ    天井部
４ｃ、４ｄ、２２ｄ、２９ａ    孔部
５    底板
６    電線管カバー
７    電線管
８    接地部
１０    接続部
１４    バッテリモジュール
１６    筐体側取付具
１８    固定具
１９    接続具
２０    パッキン
１８ａ、２２ａ、２２ｂ、２２ｃ、４８    平面部
２４    両面防水テープ
２６    つなぎパッキン
２６ａ、２８ａ    切欠部
２８、２９、３８    つなぎ金具
２８ｂ、３０、３９    突起部
３１    導通リベット
３２    中間金具
３４、４４    側面パネル
３６、５０    開口部
【要約】
【課題】防水性に優れ、かつ、より軽量で、製造コストが低減されたバッテリケースを提供する。
【解決手段】バッテリケースは、内部空洞の箱形形状をなして、上下に開口部を備える筐体と、前記筐体の上部開口部を閉鎖する天板と、前記筐体の下部開口部を閉鎖する底板とを備える。前記筐体は、一枚の長方形板状部材の平行する一方の辺と他方の辺とを付き合わせて固定したものであり、上下に開口部を有し、隣接する面のなす角が略直角の四角柱筒型である。
【選択図】図３【図１】
0006949174.tif 000002
【図１ｂ】
0006949174.tif 000003
【図２】
0006949174.tif 000004
【図３】
0006949174.tif 000005
【図４】
0006949174.tif 000006
【図５ａ】
0006949174.tif 000007
【図５ｂ】
0006949174.tif 000008
【図６】
0006949174.tif 000009
【図７】
0006949174.tif 000010
【図８】
0006949174.tif 000011
【図９】
0006949174.tif 000012
【図１０】
0006949174.tif 000013
【図１１】
0006949174.tif 000014
【図１２】
0006949174.tif 000015
【図１２Ａ】
0006949174.tif 000016
【図１２Ｂ】
0006949174.tif 000017
【図１３Ａ】
0006949174.tif 000018
【図１３Ｂ】
0006949174.tif 000019
【図１３Ｃ】
0006949174.tif 000020
【図１４】
0006949174.tif 000021
【図１５】
0006949174.tif 000022
【図１６】
0006949174.tif 000023